(57)【要約】【課題】ハウジングとアウターケースとの隙間を無くすことにより流体の吐出量を安定させることができる可変容量形ポンプを得る。【解決手段】凹部が形成されたハウジング１２と、内部の空間部と凹部とで収納空間部１５を形成するアウターケース１６と、ベーン４０を有するロータ３８と、ロータ３８との間に流体を吸入する吸入領域４２又は流体を吐出する吐出領域４４を形成しアウターケース１６との間に第１圧力室３２、第２圧力室３４を形成するカムリング２８と、第１圧力室３２に流体を流入させる第１流路２４、５４と、第２圧力室３４に流体を流入させる第２流路２６、５６と、アウターケース１６を弾性変形させることによりアウターケース１６と凹部との隙間の発生を防止する押圧手段６０とを有する構成とした。【選択図】      図１
2005337174.tif 000002
【特許請求の範囲】
【請求項１】
凹部が形成されたハウジングと、
前記凹部に取り付けられ内部の空間部と前記凹部とで収納空間部を形成する筒状のアウターケースと、
前記収納空間部内に回転可能に収納されベーンを有するロータと、
前記収納空間部内に移動可能に収納され、前記ロータとの間に流体を吸入する吸入領域又は流体を吐出する吐出領域をそれぞれ形成するとともに前記アウターケースとの間に第１圧力室及び第２圧力室をそれぞれ形成するカムリングと、
前記ハウジングから前記アウターケースに亘って形成され前記第１圧力室に流体を流入させる第１流路と、
前記ハウジングから前記アウターケースに亘って形成され前記第２圧力室に流体を流入させる第２流路と、
前記アウターケースを弾性変形させることにより前記アウターケースと前記凹部との隙間の発生を防止する押圧手段と、
を有することを特徴とする可変容量形ポンプ。
【請求項２】
前記第１圧力室又は前記第２圧力室の一方と連通し前記第２圧力室から吐出された流体を外部に吐出させる吐出室と、
前記吐出室に収納され前記カムリングを所定の方向に付勢する付勢手段と、を有し、
前記アウターケースには軸方向に延在したスリットと、前記スリットと連通し前記付勢手段を通す開孔とがそれぞれ形成され、
前記押圧手段は前記開孔に挿入されて前記アウターケースを拡径させる拡径手段であることを特徴とする請求項１に記載の可変容量形ポンプ。
【請求項３】
前記拡径手段の端部には前記開孔の挿入方向に向かって下り傾斜した傾斜部が形成されていることを特徴とする請求項２に記載の可変容量形ポンプ。
【請求項４】
前記拡径手段は、中空状に形成されていることを特徴とする請求項２又は３に記載の可変容量形ポンプ。
【請求項５】
前記拡径手段は、円筒状の胴部と、前記胴部の一端部近傍の外周面に一体形成され前記胴部の径よりも大きな径の突出部と、を有し、
前記突出部は、前記開孔への挿入方向に向かって下り傾斜していることを特徴とする請求項２に記載の可変容量形ポンプ。
【請求項６】
前記拡径手段を押圧して前記アウターケースに押し付け前記拡径手段が前記開孔に挿入された状態を維持させる挿入維持手段を有することを特徴とする請求項２乃至５のいずれか１項に記載の可変容量形ポンプ。
【請求項７】
前記傾斜部又前記突出部の下り傾斜した側の端部が湾曲状に形成されていることを特徴とする請求項３乃至６のいずれか１項に記載の可変容量形ポンプ。
【請求項８】
前記傾斜部又は前記突出部の傾斜角度は、５度以上２５度以下であることを特徴とする請求項３乃至７のいずれか１項に記載の可変容量形ポンプ。
【請求項９】
前記傾斜部又は前記突出部の傾斜角度は、２０度であることを特徴とする請求項８に記載の可変容量形ポンプ。
【発明の詳細な説明】
【技術分野】
【０００１】
本発明は、例えば自動車のハンドル操作力を軽減する動力舵取装置のような圧力流体利用機器に用いられる可変容量形ポンプに関する。
【背景技術】
【０００２】
図６に示すように、可変容量形ポンプ１００は、ハウジング１０２を備えている。このハウジング１０２には凹部（図示省略）が形成されており、凹部に筒状のアウターケース１０４が取り付けられている。また、ハウジング１０２の凹部及びアウターケース１０４の内部の空間部により収納空間部１０６が形成されている。収納空間部１０６には、カムリング１０８が収納されている。カムリング１０８は、アウターケース１０４との間でピン１１０を介して揺動自在に配置されている。ハウジング１０２とカムリング１０８との間には、第１圧力室１１２と第２圧力室１１４とがそれぞれ形成されている。また、カムリング１０８の径方向内側には外部からの回転駆動力により回転するドライブシャフト１１６が配置されている。ドライブシャフト１１６の径方向外側には複数のベーン１１８を有するロータ１２０が配置されており、ドライブシャフト１１６の回転とともに回転するようになっている。また、カムリング１０８とロータ１２０との間には、後述のドレーン室（図示省略）から流体を吸入する吸入領域１２２と、吸入された流体を後述の第３流路（図示省略）に吐出する吐出領域１２４とがそれぞれ形成されている。
【０００３】
また、ハウジング１０２には、制御バルブ１２６が設けられている。この制御バルブ１２６は、ハウジング１０２に形成されているバルブ孔１３０内で、バルブ孔１３０内の流体圧力とスプリング１３２の付勢力との圧力差により摺動動作するスプール１２８を備えている。バルブ孔１３０と第１圧力室１１２とは第１流路１３４により接続されている。また、バルブ孔１３０と第２圧力室１１４とは第２流路１３６により接続されている。また、ハウジング１０２には吐出室１３８が形成されている。この吐出室１３８は第２圧力室１１４と連通しており、吐出室１３８の内部にはアウターケース１０４に形成された円孔１４２を通ってカムリング１０８を所定の方向に付勢するコイルスプリング１４０が収納されている。
なお、制御バルブ１２６にはリザーバタンクから流体が流入するドレーン室（図示省略）が接続されており、また制御バルブ１２６はリリーフバルブ（図示省略）を内蔵している。また、制御バルブ１２６には、吐出領域１２４と第２圧力室１１４とにそれぞれ連通した第３流路（図示省略）が接続されている。その他の可変容量形ポンプ１００の構成要素においても、従来の可変容量形ポンプの構成要素と同様なので説明を省略する。
【特許文献１】特開平７−２４３３８５号公報
【発明の開示】
【発明が解決しようとする課題】
【０００４】
ここで、上記可変容量形ポンプのアウターケースには、円孔と連通したスリットが予め形成されている。これにより、アウターケースを弾性変形させて縮径させハウジングに組み付けることが可能となり、アウターケースのハウジングへの組付性を大幅に向上させることができる。
【０００５】
ところが、アウターケースにスリットを形成し、アウターケース自体を弾性変形させて縮径させ、組付け後にアウターケースを拡径させるだけでは、アウターケースとハウジングの凹部の内壁面との間に隙間が生じるおそれがある。このため、従来では、隙間が生じないように、アウターケースの円孔に矯正治具を入れ、アウターケースとハウジングの凹部の内壁面との間に隙間が生じないようにアウターケースの一部をハウジング側に押し付けて矯正していた。
しかしながら、矯正治具を用いて矯正しても、依然としてアウターケースとハウジングの凹部の内壁面との間には僅かな隙間が生じていた。
アウターケースとハウジングの凹部の内壁面との間に僅かな隙間が生じると、第１流路又は第２流路を通過した流体がその隙間を通って、第２流路又は第１流路に流入し、さらに、第２圧力室又は第１圧力室に流入することがあるため、第２圧力室又は第１圧力室の圧力が上昇するおそれがある。第２圧力室又は第１圧力室の圧力が上昇すると、カムリングに作用する圧力のバランスが崩れて、カムリングが第１圧力室側又は第２圧力室側に移動し、第２圧力室から吐出室に吐出される流体の吐出量が変化する。また、吐出室に吐出される流体の吐出量が変化することにより、振動が発生し、さらに振動の発生により雑音が発生する問題がある。
【０００６】
そこで、本発明は、上記事情を考慮し、ハウジングとアウターケースとの隙間を無くすことにより流体の吐出量を安定させることができる可変容量形ポンプを提供することを目的とする。
【課題を解決するための手段】
【０００７】
請求項１に記載の発明は、凹部が形成されたハウジングと、前記凹部に取り付けられ内部の空間部と前記凹部とで収納空間部を形成する筒状のアウターケースと、前記収納空間部内に回転可能に収納されベーンを有するロータと、前記収納空間部内に移動可能に収納され、前記ロータとの間に流体を吸入する吸入領域又は流体を吐出する吐出領域をそれぞれ形成するとともに前記アウターケースとの間に第１圧力室及び第２圧力室をそれぞれ形成するカムリングと、前記ハウジングから前記アウターケースに亘って形成され前記第１圧力室に流体を流入させる第１流路と、前記ハウジングから前記アウターケースに亘って形成され前記第２圧力室に流体を流入させる第２流路と、前記アウターケースを弾性変形させることにより前記アウターケースと前記凹部との隙間の発生を防止する押圧手段と、を有することを特徴とする。
【０００８】
請求項１に記載の発明によれば、例えばエンジンの回転数に応じた第１圧力室と第２圧力室との差圧によりカムリングがロータの回転とともに収納空間部内を移動する。このカムリングの移動によりカムリングの中心とロータの中心との中心間距離が変化し、この中心間距離が変化することにより、吸入領域と吐出領域の体積が変化する。これによりロータの一回転当たりの吐出量が変化する。
ここで、押圧手段によりアウターケースが弾性変形させられるため、アウターケースとハウジングの凹部との間に隙間が生じることがない。このため、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。
【０００９】
請求項２に記載の発明は、請求項１に記載の可変容量形ポンプにおいて、前記第１圧力室又は前記第２圧力室の一方と連通し前記第２圧力室から吐出された流体を外部に吐出させる吐出室と、前記吐出室に収納され前記カムリングを所定の方向に付勢する付勢手段と、を有し、前記アウターケースには軸方向に延在したスリットと、前記スリットと連通し前記付勢手段を通す開孔とがそれぞれ形成され、前記押圧手段は前記開孔に挿入されて前記アウターケースを拡径させる拡径手段であることを特徴とする。
【００１０】
請求項２に記載の発明によれば、押圧手段としての拡径手段がアウターケースに形成された開孔に挿入されると、スリットが径方向外側に押し広げられてアウターケースが拡径される。アウターケースが拡径されると、アウターケースがハウジングの凹部の内壁面に押し付けられ、アウターケースと凹部の内壁面との間に隙間が発生することを防止できる。これにより、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。この結果、第１圧力室又は第２圧力室の一方から吐出室に吐出される流体の吐出流量を安定させることができる。また、第１圧力室又は第２圧力室の一方から吐出室に吐出される流体の吐出流量を安定させることにより、振動の発生を防止でき、ひいては雑音が発生することを防止できる。
特に、拡径手段を挿入させる開孔はカムリングを所定の方向に付勢させる付勢手段を通すためにアウターケースに予め形成されたものであるため、この開孔をそのまま利用することができる。これにより、アウターケースに拡径手段を挿入させるための開孔を別途形成する必要がない。
【００１１】
請求項３に記載の発明は、請求項２に記載の可変容量形ポンプにおいて、前記拡径手段の端部には前記開孔の挿入方向に向かって下り傾斜した傾斜部が形成されていることを特徴とする。
【００１２】
請求項３に記載の発明によれば、拡径手段の端部には開孔の挿入方向に向かって下り傾斜した傾斜部が形成されているため、拡径手段を開孔に挿入し易くすることができる。これにより、手作業で容易に拡径手段を開孔に挿入させることができる。
【００１３】
請求項４に記載の発明は、請求項２又は３に記載の可変容量形ポンプにおいて、前記拡径手段は、中空状に形成されていることを特徴とする。
【００１４】
請求項４に記載の発明によれば、拡径手段が中空状に形成されているため、拡径手段の内部に別の構成部材（例えば、付勢手段など）を収納させることができる。これにより、吐出室に拡径手段を収納し更に別の構成部材を収納させる場合でも、吐出室の限られたスペースを有効に活用することができ、吐出室を大型化する必要がない。
【００１５】
請求項５に記載の発明は、請求項２に記載の可変容量形ポンプにおいて、前記拡径手段は、円筒状の胴部と、前記胴部の一端部近傍の外周面に一体形成され前記胴部の径よりも大きな径の突出部と、を有し、前記突出部は、前記開孔への挿入方向に向かって下り傾斜していることを特徴とする。
【００１６】
請求項５に記載の発明によれば、拡径手段の突出部がアウターケースの開孔に挿入されて、スリットが径方向外側に押し広げられてアウターケースが拡径される。アウターケースが拡径されると、アウターケースがハウジングの凹部の内壁面に押し付けられ、アウターケースと凹部の内壁面との間に隙間が発生することを防止できる。これにより、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。この結果、第１圧力室又は第２圧力室の一方から吐出室に吐出される流体の吐出流量を安定させることができる。また、第１圧力室又は第２圧力室の一方から吐出室に吐出される流体の吐出流量を安定させることにより、振動の発生を防止でき、ひいては雑音が発生することを防止できる。
特に、突出部が開孔への挿入方向に向かって下り傾斜しているため、アウターケースの開孔に容易に挿入することができる。また、拡径手段を構成する突出部は、円筒状の胴部の一端部近傍の外周面に一体形成されているため、胴部の内周面に段差が生じない。これにより、胴部の内周面の形状を考慮することなく、胴部の内部にある空間部に他の構成部材（例えば、付勢手段など）を収納させることができる。これにより、吐出室に拡径手段を収納し更に別の構成部材を収納させる場合でも、吐出室の限られたスペースを有効に活用することができ、吐出室を大型化する必要がない。
【００１７】
請求項６に記載の発明は、請求項２乃至５のいずれか１項に記載の可変容量形ポンプにおいて、前記拡径手段を押圧して前記アウターケースに押し付け前記拡径手段が前記開孔に挿入された状態を維持させる挿入維持手段を有することを特徴とする。
【００１８】
請求項６に記載の発明によれば、拡径手段が挿入維持手段により押圧されてアウターケースに押し付けられる。これにより拡径手段が開孔に挿入された状態が維持される。この結果、拡径手段が開孔から抜け落ちることがなく、アウターケースと凹部の内壁面との間に隙間が発生することを防止できる。
【００１９】
請求項７に記載の発明は、請求項３乃至６のいずれか１項に記載の可変容量形ポンプにおいて、前記傾斜部又前記突出部の下り傾斜した側の端部が湾曲状に形成されていることを特徴とする。
【００２０】
請求項７に記載の発明によれば、傾斜部又突出部の下り傾斜した側の端部が湾曲状に形成されているため、拡径手段をアウターケースの開孔に挿入する際に、傾斜部又突出部の下り傾斜した端部が開孔に挿入し易くなる。
【００２１】
請求項８に記載の発明は、請求項３乃至７のいずれか１項に記載の可変容量形ポンプにおいて、前記傾斜部又は前記突出部の傾斜角度は、５度以上２５度以下であることを特徴とする。
【００２２】
請求項８に記載の発明によれば、傾斜部又は突出部の傾斜角度が５度以上２５度以下とすることにより、拡径手段を開孔に挿入し易くすることができるとともに、アウターケースの拡径量を増大させアウターケースの凹部の内壁面への密着度を大幅に向上させることができる。
逆に、傾斜部又は突出部の傾斜角度が５度未満であれば、アウターケースの拡径量があまり増大せず効果的ではない。また、傾斜部又は突出部の傾斜角度が２５度よりも大きければ、拡径手段を開孔に挿入し難くなり効果的ではない。
【００２３】
請求項９に記載の発明は、請求項８に記載の可変容量形ポンプにおいて、前記傾斜部又は前記突出部の傾斜角度は、２０度であることを特徴とする。
【００２４】
請求項９に記載の発明によれば、傾斜部又は突出部の傾斜角度が２０度とすることにより、拡径手段の開孔への挿入度と、アウターケースの凹部の内壁面への密着度とを共に最適な状態とすることができる。
【発明の効果】
【００２５】
請求項１に記載の発明は、押圧手段によりアウターケースが弾性変形させられるため、アウターケースとハウジングの凹部との間に隙間が生じることがない。このため、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。
【００２６】
請求項２に記載の発明は、拡径手段をアウターケースに形成された開孔に挿入することにより、アウターケースがハウジングの凹部の内壁面に押し付けられてアウターケースと凹部の内壁面との間に隙間が発生することを防止できるため、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。この結果、第１圧力室又は第２圧力室の一方から吐出室に吐出される流体の吐出流量を安定させることができ、また振動の発生を防止でき、ひいては雑音が発生することを防止できる。
特に、拡径手段を挿入させる開孔がカムリングを所定の方向に付勢させる付勢手段を通すためにアウターケースに予め形成されたものであるため、この開孔をそのまま利用することができ、アウターケースに拡径手段を挿入させるための開孔を別途形成する必要がない。
【００２７】
請求項３に記載の発明は、拡径手段の端部には開孔の挿入方向に向かって下り傾斜した傾斜部を形成したため、拡径手段を開孔に挿入し易くすることができる。これにより、手作業で容易に拡径手段を開孔に挿入させることができる。
【００２８】
請求項４に記載の発明は、拡径手段を中空状に形成したため、拡径手段の内部に別の構成部材（例えば、付勢手段など）を収納させることができる。これにより、吐出室に拡径手段を収納し更に別の構成部材を収納させる場合でも、吐出室の限られたスペースを有効に活用することができ、吐出室を大型化する必要がない。
【００２９】
請求項５に記載の発明は、拡径手段の突出部をアウターケースの開孔に挿入することにより、アウターケースと凹部の内壁面との間に隙間が発生することを防止できるため、第１流路又は第２流路を流れてきた流体がアウターケースとハウジングの凹部との間の隙間を通って第２流路又は第１流路に流れ込むことがなく、第１圧力室と第２圧力室の圧力が不要に変化することがない。この結果、第１圧力室又は第２圧力室の一方から吐出室に吐出される流体の吐出流量を安定させることができ、また振動の発生を防止でき、ひいては雑音が発生することを防止できる。
特に、突出部が開孔への挿入方向に向かって下り傾斜しているため、アウターケースの開孔に容易に挿入することができる。
また、拡径手段を構成する突出部が円筒状の胴部の一端部近傍の外周面に一体形成されているため、胴部の内周面に段差が生じず、胴部の内周面の形状を考慮することなく、胴部の内部にある空間部に他の構成部材（例えば、付勢手段など）を収納させることができる。これにより、吐出室に拡径手段を収納し更に別の構成部材を収納させる場合でも、吐出室の限られたスペースを有効に活用することができ、吐出室を大型化する必要がない。
【００３０】
請求項６に記載の発明は、挿入維持手段を設けたため、拡径手段を開孔に挿入した状態を維持することができる。この結果、拡径手段が開孔から抜け落ちることがなく、アウターケースと凹部の内壁面との間に隙間が発生することを防止できる。
【００３１】
請求項７に記載の発明は、傾斜部又突出部の下り傾斜した側の端部を湾曲状に形成したため、拡径手段をアウターケースの開孔に挿入する際に、傾斜部又突出部の下り傾斜した端部が開孔に挿入し易くなる。
【００３２】
請求項８に記載の発明は、傾斜部又は突出部の傾斜角度を５度以上２５度以下としたので、拡径手段を開孔に挿入し易くすることができるとともに、アウターケースの拡径量を増大させアウターケースの凹部の内壁面への密着度を大幅に向上させることができる。
【００３３】
請求項９に記載の発明は、傾斜部又は突出部の傾斜角度を２０度としたので、拡径手段の開孔への挿入度と、アウターケースの凹部の内壁面への密着度とを共に最適な状態とすることができる。
【発明を実施するための最良の形態】
【００３４】
次に、本発明の第１実施形態に係る可変容量形ポンプについて、図面を参照して説明する。
【００３５】
図１に示すように、本実施形態の可変容量形ポンプ１０は、ハウジング１２を備えている。ハウジング１２には凹部（図示省略）が形成されており、凹部には金属製のアウターケース１６が挿入されている。図３に示すように、アウターケース１６は、全体的に円筒状に形成されており、ハウジング１２への組付性を向上させる観点から外周面の一部にはその軸方向（図３中矢印Ａ方向）に沿って延在するスリット１８が形成されている。このため、アウターケース１６は、周方向に沿って連続しておらず、スリット１８が形成されている部位で不連続となっている。なお、アウターケース１６の各スリット端１８Ａ、１８Ｂは、所定の距離Ｄだけ離間されている。また、アウターケース１６には、スリット１８と連通する円孔（開孔）２０が形成されている。この円孔２０は、アウターケース１６を厚み方向に貫通して形成されている。図１に示すように、この円孔２０には、後述するように、カラー（拡径手段、押圧手段）が挿されるとともにコイルスプリング２２が貫通する。さらに、アウターケース１６には、後述の第１通路（第１流路）５４と連通する第１貫通孔（第１流路）２４が形成されている。また、アウターケース１６には、後述の第２通路（第２流路）５６と連通する第２貫通孔（第２流路）２６が形成されている。
【００３６】
また、ハウジング１２の凹部及びアウターケース１６の内部の空間部により収納空間部１５が形成されている。収納空間部１５には、カムリング２８が収納されている。カムリング２８は、アウターケース１６との間でピン３０を介して揺動自在となるように配置されている。また、ハウジング１２とカムリング２８との間には、第１圧力室３２と第２圧力室３４とがそれぞれ形成されている。
また、カムリング２８の径方向内側には外部からの回転駆動力により回転するドライブシャフト３６が配置されている。ドライブシャフト３６の径方向外側には複数のベーン４０を有するロータ３８が配置されており、ドライブシャフト３６の回転とともに回転するようになっている。また、カムリング２８とロータ３８との間には、後述のドレーン室（図示省略）から流体を吸入する吸入領域４２と、吸入された流体を後述の第３流路（図示省略）に吐出する吐出領域４４とがそれぞれ形成されている。
【００３７】
また、ハウジング１２には、制御バルブ４６が設けられている。この制御バルブ４６は、ハウジング１２に形成されているバルブ孔４８内で、バルブ孔４８内の流体圧力とスプリング５２の付勢力との圧力差により摺動動作するスプール５０を備えている。
また、ハウジング１２には、第１通路（第１流路）５４が形成されている。この第１通路５４はアウターケース１６に形成された第１貫通孔２４と連通されており、バルブ孔４８と第１圧力室３２とが第１通路５４及び第１貫通孔２４で接続されて構成となっている。また、ハウジング１２には、第２通路（第１流路）５６が形成されている。この第２通路５６はアウターケース１６に形成された第２貫通孔２６と連通されており、バルブ孔４８と第２圧力室３４とが第２通路５６及び第２貫通孔２６で接続されて構成となっている。
また、ハウジング１２には吐出室５８が形成されている。この吐出室５８は第２圧力室３４と連通しており、吐出室５８の内部にはアウターケース１６に形成された円孔２０を通ってカムリング２８を所定の方向に付勢するコイルスプリング２２が収納されている。
なお、制御バルブ４６にはリザーバタンクから流体が流入するドレーン室（図示省略）が接続されており、また制御バルブ４６はリリーフバルブ（図示省略）を内蔵している。また、制御バルブ４６には、吐出領域４４と第２圧力室３４とにそれぞれ連通した第３流路（図示省略）が接続されている。
また、その他の可変容量形ポンプ１０の構成要素においても、従来の可変容量形ポンプの構成要素と同様なので説明を省略する。
【００３８】
次に、本発明の要部について説明する。
【００３９】
図１及び図２に示すように、アウターケース１６に形成されている円孔２０には、金属製のカラー６０が挿入されている。カラー６０は、円筒状の胴部６２と、胴部６２の一方の端部外周面に一体形成された突出部６４と、で構成されている。胴部６２の径は、円孔２０の径と略同じになるように設定されている。
ここで、突出部６４は、胴部６２の軸方向内側（図２中矢印Ｉ方向側）から軸方向外側（図２中矢印Ｏ方向側）に向かって下り傾斜する斜辺部６４Ａと、斜辺部６４Ａと連続して構成され胴部６２の径方向外側（図２中矢印Ｂ方向側）に向かって略垂直に立ち上がった垂直部６４Ｂと、で構成されている。
この斜辺部６４Ａの傾斜角度αは、５度以上２５度以下であることが好ましく、特に約２０度であることが好ましい。
さらに、斜辺部６４Ａの端部Ｒ１、Ｒ２は、Ｒ加工されており、滑らかな湾曲状に形成されている。
なお、上記カラー６０は、吐出室５８に配置されたコイルスプリング６６によりアウターケース１６の円孔２０側に付勢されている。
【００４０】
次に、本実施形態の可変容量形ポンプ１０の作用について説明する。
【００４１】
可変容量形ポンプ１０の組付時には、アウターケース１６をハウジング１２の凹部に挿入させる。このとき、アウターケース１６に外力が加えられ、アウターケース１６が各スリット端１８Ａ、１８Ｂの略離間距離Ｄだけ縮径された状態で、ハウジング１２の凹部に挿入される。アウターケース１６が凹部に挿入されると、作用していた外力が解除される。これにより、アウターケース１６がその弾性力により拡径されも元の状態に戻る。このとき、アウターケース１６の外周面が凹部の内壁面１４Ａに接触した状態となる。
【００４２】
次に、図４に示すように、アウターケース１６に形成された円孔２０にカラー６０が挿入される。このとき、突出部６４を構成する斜辺部６４Ａの先端部Ｒ１から円孔２０に挿入されていく。ここで、斜辺部６４Ａが所定の角度αだけ傾斜しており、また、斜辺部６４Ａの先端部Ｒ１が湾曲状に形成されているため、カラー６０を円孔２０に容易に挿入させることができる。
図５に示すように、カラー６０の斜辺部６４Ａが円孔２０に挿入されていくと、円孔２０の内周面が傾斜を上る方向に斜辺部６４Ａ上を移動していく。これにより、アウターケース１６は各スリット端１８Ａ、１８Ｂが相互に離間する方向に斜辺部６４Ａから力が加えられて各スリット端１８Ａ、１８Ｂの離間距離Ｄが大きくなり、アウターケース１６が徐々に拡径していく。この結果、アウターケース１６の外周面が凹部の内壁面１４Ａに押し付けられ、相互に密着される。
なお、カラー６０がコイルスプリング６６によりアウターケース１６側に付勢されているため、カラー６０が円孔２０から抜けてしまうことを防止でき、カラー６０の円孔２０への挿入状態を維持させることができる。
【００４３】
ここで、斜辺部６４Ａの傾斜角度αが５度以上２５度以下に設定されているため、カラー６０を円孔２０に挿入し易くすることができるとともに、アウターケース１６の拡径量を増大させアウターケース１６の凹部の内壁面１４Ａに対する密着度を大幅に向上させることができる。
逆に、斜辺部６４Ａの傾斜角度αが５度未満であれば、アウターケース１６の拡径量があまり増大せず効果的ではない。また、斜辺部６４Ａの傾斜角度αが２５度よりも大きければ、カラー６０を円孔２０に挿入し難くなり効果的ではない。
特に、斜辺部６４Ａの傾斜角度αが２０度とすることにより、カラー６０の円孔２０への挿入度と、アウターケース１６の凹部の内壁面１４Ａに対する密着度とを共に最適な状態とすることができる。
【００４４】
以上のように、本実施形態の可変容量形ポンプ１０によれば、カラー６０の突出部がアウターケース１６の円孔２０に挿入されて、スリット１８が径方向外側（図１及び図５中矢印Ｘ１、Ｘ２方向側）に押し広げられてアウターケース１６が拡径される。アウターケース１６が拡径されると、アウターケース１６がハウジング１２の凹部の内壁面１４Ａに押し付けられ、アウターケース１６と凹部の内壁面１４Ａとの間に隙間が発生することを防止できる。これにより、第１通路５４又は第２通路５６を流れてきた流体がアウターケース１６の外周面とハウジング１２の凹部の内壁面１４Ａとの間の隙間を通って第２通路５６又は第１通路５４に流れ込むことがなく、第１圧力室３２と第２圧力室３４の圧力が不要に変化することがない。この結果、第２圧力室３４から吐出室５８に吐出される流体の吐出流量を安定させることができる。また、第２圧力室３４から吐出室５８に吐出される流体の吐出流量を安定させることにより、振動の発生を防止でき、ひいては雑音が発生することを防止できる。
【００４５】
特に、カラー６０を挿入させる円孔２０はカムリング２８を所定の方向に付勢させるコイルスプリング２２を通すためにアウターケース１６に予め形成されたものであるため、この円孔２０をそのまま利用することができる。これにより、アウターケース１６にカラー６０を挿入させるための円孔２０を別途形成する必要がない。
【００４６】
また、カラー６０は、円筒状の胴部６２を有し、かつ突出部６４がその一方の端部近傍の外周面に一体形成されている構成であるため、胴部６２の内周面６２Ａに段差が生じない。これにより、胴部６２の内周面６２Ａに段差を考慮することなく、胴部６２の内部にある空間部を有効に利用することができ、その空間部に他の構成部材（例えば、コイルスプリング２２など）を収納させることができる。これにより、吐出室５８にカラー６０を収納し更に別の構成部材を収納させる場合でも、吐出室５８の限られたスペースを有効に活用することができ、吐出室５８を大型化する必要がない。
【００４７】
なお、上記実施形態の可変容量形ポンプ１０に用いられるアウターケース１６に形成された円孔２０の内周面２１を、アウターケース１６の径方向外側に向けて上り傾斜させるように構成してもよい。この場合、円孔２０の内周面２１の傾斜角度は、斜辺部６４Ａの傾斜角度αと略同一となることが好ましい。アウターケース１６に形成された円孔２０の内周面２１をアウターケース１６の径方向外側に向けて上り傾斜させることにより、カラー６０をさらに円孔２０に挿入し易くすることができ、カラー６０のアウターケース１６への組み付けが容易になる。
【図面の簡単な説明】
【００４８】
【図１】本発明の第１実施形態に係る可変容量形ポンプの要部構造を示す概略断面図である。
【図２】本発明の第１実施形態に係る可変容量形ポンプに用いられる押圧手段の断面図である。
【図３】本発明の第１実施形態に係る可変容量形ポンプに用いられるアウターケースの概略側面図である。
【図４】本発明の第１実施形態に係る可変容量形ポンプに用いられる押圧手段がアウターケースの開孔に挿入される前の状態を示した部分断面図である。
【図５】本発明の第１実施形態に係る可変容量形ポンプに用いられる押圧手段がアウターケースの開孔に挿入された状態を示した部分断面図である。
【図６】従来の可変容量形ポンプの要部構造を示す概略断面図である。
【符号の説明】
【００４９】
１０          可変容量形ポンプ
１２          ハウジング
１５          収納空間部
１６          アウターケース
１８          スリット
２０          円孔（開孔）
２２          コイルスプリング（付勢手段）
２４          第１貫通孔（第１流路）
２６          第２貫通孔（第２流路）
２８          カムリング
３２          第１圧力室
３４          第２圧力室
３８          ロータ
４０          ベーン
４２          吸入領域
４４          吐出領域
５４          第１通路（第１流路）
５６          第２通路（第２流路）
５８          吐出室
６０          カラー（押圧手段、拡径手段）
６２          胴部
６４          突出部（傾斜部）
６６          コイルスプリング（挿入維持手段）
【図１】
2005337174.tif 000003
【図２】
2005337174.tif 000004
【図３】
2005337174.tif 000005
【図４】
2005337174.tif 000006
【図５】
2005337174.tif 000007
【図６】
2005337174.tif 000008